(57)【要約】【課題】  この発明は、発注者のメッセージなどを電子情報として受取人が閲覧できるようにすることを課題とするものである。【解決手段】  この発明は、発注者１の携帯電話端末２から発注者情報を運営者のサーバ３へ入力し、発注者情報の入力を受けて、サーバから前記発注者の携帯電話端末へ申込番号を送信し、発注者がギフト商品の注文と共に前記申込番号を運営者へ送信し、運営者がギフト商品と共に前記申込番号と関係づけられたパスワード及び閲覧サイトへのアクセス方法が記載された印刷物を受取人に発送することにより、ギフトの受取人が発注者の情報にアクセスできるようにする。【選択図】  図１
2006004281.tif 000002
【特許請求の範囲】
【請求項１】
発注者の携帯電話端末から発注者情報及び受取人情報を運営者のサーバへ入力するステップと、
サーバから前記発注者の携帯電話端末へ申込番号を送信するステップと、
発注者がギフト商品の注文と共に前記申込番号を運営者へ送信するステップと、
運営者がギフト商品と共に前記申込番号と関係づけられたパスワード及び前記発注者情報が閲覧できる閲覧サイトへのアクセス方法が記載された印刷物を受取人に発送するステップ
よりなり、
受取人は前記閲覧サイトにアクセスし、パスワードを入力することにより前記サーバに記録された発注者情報を閲覧できるようにした、
発注者情報が閲覧可能なギフト方法
【請求項２】
発注者情報は、デジタル化された画像を含むものとした、請求項１記載の発注者情報が閲覧可能なギフト方法
【請求項３】
発注者情報の記録ファイルと、商品発注情報の記録ファイルと、ギフト商品ファイルとを備え、インターネットに接続されたサーバと、
発注者からの発注者情報の入力に対応して発注者へ申込番号を発行し送信する手段と、
発注者からの申込番号、受取人情報、ギフト商品の入力に対応して、前記申込番号と関係づけられたパスワード及び前記発注者情報の記録ファイルへアクセスするための閲覧サイトへのアクセス方法を印刷する印刷手段とを備え、
前記印刷された印刷物とギフト商品とを受取人に発送するようにした、発注者情報が閲覧可能なギフトシステム
【発明の詳細な説明】
【技術分野】
【０００１】
この発明は、 ギフトの送付と共に、ギフトの受取人がインターネットを介して発注者のメッセージ、写真その他の情報にアクセスできるようにすることを課題とするものである。
【背景技術】
【０００２】
従来、インターネットを利用した商品の発注システムは種々提案されている。そして、ギフト商品にグリーティングカードを同封できるようにした技術も存在する。
【特許文献１】特開２００１−３５７２６８号
【０００３】
この文献に開示されている技術は、商品の発注者が、商品の発注と共に運営者のサーバに予め登録されたグリーティングカードに発注人の氏名などを入力し、これを運営者が印字してグリーティングカードとし、商品に同封して受取人に発送するものである。
【発明の開示】
【発明が解決しようとする課題】
【０００４】
上記文献に開示された発明においては、紙媒体としてのグリーティングカードが受取人に届けられるに止まる。
この発明は、発注者のメッセージなどを電子情報として受取人が閲覧できるようにすることを課題とするものである。
【課題を解決するための手段】
【０００５】
請求項１の発明は、ギフトの受取人が、発注者情報を閲覧できる閲覧サイトにアクセスし、申込番号を入力することにより前記サーバに記録された発注者情報を閲覧できるようにした、発注者情報が閲覧可能なギフト方法である。
請求項１の発明は方法に係り、以下のステップから構成される。
１．発注者の携帯電話端末から発注者情報及び商品発注情報を運営者のサーバへ入力するステップ、
２．発注者情報の入力を受けて、サーバから前記発注者の携帯電話端末へ申込番号を送信するステップ、
３．発注者がギフト商品の注文と共に前記申込番号を運営者へ送信するステップ、
４．運営者がギフト商品と共に前記申込番号と関係づけられたパスワード及び閲覧サイトへのアクセス方法が記載された印刷物を受取人に発送するステップ
請求項２の発明は、前記発注者情報は、携帯電話端末やデジタルカメラで撮影した画像などのデジタル画像を含むものとしたものである。
【０００６】
請求項３の発明は、印刷物とギフト商品とを受取人に発送するようにし、受取人が発注者情報を閲覧可能なギフトシステムに係り、以下の構成を備えている。
１．発注者情報の記録ファイルと、商品発注情報の記録ファイルと、ギフト商品ファイルとを備え、インターネットに接続されたサーバ、
２．発注者からの発注者情報の入力に対応して発注者へ申込番号を発行し送信する手段、
３．発注者からの申込番号、商品発注情報、ギフト商品の入力に対応して、前記申込番号と関係づけられたパスワード及び前記発注者情報の記録ファイルへアクセスするための閲覧サイトへのアクセス方法を印刷する印刷手段。
【０００７】
前記発注者情報は、発注者の住所、氏名の他、発注者が受取人へ伝えようとするメッセージ（文字又は音声）、写真、動画などから適宜選択される。
前記商品発注情報は、ギフト商品を発送するための情報であり、住所、氏名の他、必要により郵便番号、電話番号が含まれる。
前記申込番号は、商品発注に先立ってサーバに記録された発注者情報と発注指示とを関連づける機能を有するものである。
【０００８】
前記申込番号と関連づけられたパスワードは、申込番号そのもの又は申込番号から生成されたものとし、正当な受取人以外が発注者情報へアクセスすることを遮断するためのものである。
なお、受取人の発注者情報へのアクセス権を一層厳格に管理するために、運営者において申込番号又はこれから生成されたパスワードに加えて二つのキーワードを作成し、これも印刷物に印刷して受取人に通知するようにすることもできる。
【０００９】
この発明において、ギフト商品の選択は、紙媒体のカタログによる方法と、電子情報として携帯電話の画面に商品写真などを表示して行う方法とがある。前者による場合は、ギフト商品ファイルは発注者から入力された商品番号に基づいて所定の商品の出荷指示、請求書発行指示をおこなう機能持つものであれば足りる。他方、後者による場合は、ギフト商品ファイルにギフト商品の画像データなども記録する。
【発明の効果】
【００１０】
この発明によれば、ギフト商品と共に、運営者のサイトへのアクセス方法と発注者情報にアクセスするためのパスワードが印刷された印刷物が、受取人に送られる。そこで、受取人は印刷物に記載された指示に従いインターネットに接続された通信手段によって運営者のサイトにアクセスし、次いで発注者情報にアクセスするためのパスワードを入力することにより、発注者情報、すなわち発注者のメッセージや写真を閲覧することができる。
また、発注者情報へのアクセスにはパスワードが必要であるから、発注者の個人情報が受取人以外に漏れることもない。
【発明を実施するための最良の形態】
【００１１】
発注者１は、通信販売業者などの商品カタログを閲覧して、ギフト商品の購入を決定する。次いで、運営者のサイトに携帯電話端末２でアクセスする。前記通信販売業者と運営者とは同一人でも別人でもよい。別人の場合は受注を受けた運営者が通信販売業者に受注の通知をすることとなる。
【００１２】
運営者のサイトにアクセスすると、写真の送信を促すメッセージが携帯電話端末２の画面に表示される（図４）。これに従い、発注者１は自己の携帯電話端末に記録されている写真を選択して電子メールで送信する。運営者の電子メールのアドレスは運営者のサイトから発注者の携帯電話端末に自動送信されて発注者の携帯電話端末２の画面に表示されるようにしてある。
【００１３】
前記送信された写真は、運営者のサーバ３の発注者データファイルに記録され、その後写真が記録された旨の通知と、コメントの入力を促すメッセージが発注者１の携帯電話端末２に送信され、その画面に表示される。このとき登録された写真確認画面が表示され（図５）、写真を変更することも可能である。
指示に従い、コメント入力ページに移ると、携帯電話端末２の画面に、サーバ３の発注者データファイルに予め記録されているサンプル文における個人の属性に関する情報を入力するフォームが表示される（図６）。
以下には赤ちゃんの誕生の際の内祝いを想定したものを示すが、誕生日、結婚記念日、父の日、母の日などギフトを送るあらゆる機会に応じて複数のサンプル文を用意して発注者が選択するようにすることもできる。
このフォームにより、赤ちゃんの誕生日、体重、身長、名前、愛称、両親の名前やフリーコメントなどを発注者１が入力して運営者のサーバ３へ送信すると、サーバ３において前記サンプル文に発注者１が入力した個人情報が付加されてコメントが完成し、完成したコメントが発注者に送信され携帯電話端末２の画面に表示される。発注者が確認を送信すると、サーバ３において先に登録された写真と合成され、完成したページがサーバ３から発注者に送信され、発注者の携帯電話の画面に表示される（図７）。
【００１４】
前記写真とコメントとで構成されるページは、同じ作業を複数回繰り返して複数ページとすることもできる。また、発注者が自由に書き込める欄も設けることが好ましい。
なお、サンプル文を用意せず、全て発注者が独自に入力するものとしてもよい。
上記発注者情報の入力が完了し、このデータがサーバの発注者情報記録ファイルに登録されると、サーバ３から申込番号が発注者１の携帯電話端末２に電子メールで送信され、携帯電話端末２の画面に表示される（図８）。この申込番号の通知をもって、発注者情報の登録作業は終了し、通信は切断する。
【００１５】
次いで、発注者１はギフト商品５の発注作業を行う。発注作業は、紙媒体の発注書に発注商品、前記申込番号、発注者の住所、氏名、支払方法、受取人の住所、氏名などを記載してファックスや郵便で送付する方法、電話による方法と、運営者のサイトに用意された発注フォームを利用して電子メールで送る方法とがある。
【００１６】
前記発注を受けた運営者は、前記発注書に記載されたデータをサーバ３の商品発注情報ファイルに登録する。サーバ３においては、商品の発送指示書を作成すると共に、商品に同梱して受取人に発送する印刷物６に、前記申込番号から生成されたパスワードを含んだ閲覧番号と運営者のサイトのアドレスを案内するメールアドレス並びに発注者が自由に書き込める欄に入力した内容などの印刷を指示し、プリンター４によって印刷する。
【００１７】
上記により、発注者１が指示したギフト商品５と、運営者のメールアドレス及び受付番号が印刷された印刷物６が受取人に発送される。
【００１８】
受取人７においては、携帯電話端末８によって印刷物６に表示されたメールアドレスに従い運営者のサイトに空メールを送信すると、運営者のサーバ３から運営者のサイトのURLが記されたメールが受取人に返信される。
そこで、受取人７が前記URLに従い運営者のサイトにアクセスすると、閲覧番号の入力を促す画面が受取人の携帯電話の画面に表示される。受取人が閲覧番号を入力すると、サーバ３は閲覧番号を解析して申込番号を割り出し、該当する申込番号の発注者情報ファイルに登録された発注者１のコメント、写真を閲覧することができる。
【００１９】
閲覧画面を進むと、お礼メールの作成画面に切り替わる。この作成画面を利用して受取人７がお礼のメッセージを入力し、送信すると、そのデータは運営者のサーバ３に記録され、サーバ３においては申込番号によって発注者１の電子メールアドレスが検索され、前記お礼メールは発注者１に送信される。
【産業上の利用可能性】
【００２０】
この発明は、ギフト商品の発送と共に発注者情報を閲覧するための申込番号から生成されたパスワードを受取人に通知することにより、受取人は発注者が作成しサーバに登録したメッセージや写真などを閲覧することができるものであり、産業上の利用可能性を有するものである。
【図面の簡単な説明】
【００２１】
【図１】この発明の実施形態の概略を示す図
【図２】発注者と運営者との関係を示すブロック図
【図３】受取人と運営者との関係を示すブロック図
【図４】写真入力画面
【図５】写真確認画面
【図６】発注者情報の入力画面
【図７】メッセージ確認画面
【図８】申込番号表示画面
【符号の説明】
【００２２】
１    発注者
２    携帯電話端末
３    サーバ
４    プリンタ
５    ギフト商品
６    印刷物
７    受取人
８    携帯電話端末
【図１】
2006004281.tif 000003
【図２】
2006004281.tif 000004
【図３】
2006004281.tif 000005
【図４】
2006004281.tif 000006
【図５】
2006004281.tif 000007
【図６】
2006004281.tif 000008
【図７】
2006004281.tif 000009
【図８】
2006004281.tif 000010